(57)【特許請求の範囲】
【請求項１】
剛性枠体に高張力線材を網状に張って形成されている打楽器用打面体において、該高張力線材は、高張力を有する樹脂線材による心材と、ゴム系塗料による被覆材との多層構造となっていることを特徴とする打楽器用打面体。
【請求項２】
打楽器の打撃面に固定支持するための固定手段が設けられていることを特徴とする請求項１に記載の打楽器用打面体。
【請求項３】
前記の固定手段において、前記打面体の網状打面と、打楽器の打撃面との距離を調整するための調整手段が設けられていることを特徴とする請求項２に記載の打楽器用打面体。
【発明の詳細な説明】
【０００１】
【発明の属する技術分野】
本発明は、太鼓や鉄琴などの打楽器の練習具に関し、消音効果が高く、かつ打撃感覚が良好な打楽器の練習用に適した打面体に関する。
【０００２】
【従来の技術】
従来より、太鼓などの打楽器の練習においては、本物の打楽器を用いると大きな音のために、防音設備が設けられた部屋や隔離された場所で練習を行っている。
【０００３】
しかし、自宅などで練習する場合には、防音できないために、本物を使用せずに、各自で工夫した擬似的な代用品で練習することが多い。例えば、雑誌や板材あるいはクッションなどを打楽器の代用品として使用しているのが実情である。専用の擬似代用品は、市販されていない。
【０００４】
太鼓に関する練習具については、従来より数々の考案がなされており、例えば、団扇太鼓を支持台に固定して角度調整ができるようにして擬似太鼓としたもの（実願平６−８９９４号）や、太鼓の打撃面にゴムシートなどの弾性シートを用い、その内部にスポンジシートなどを張り合わせて消音効果を発揮させたものなどが開示されている（登録実用新案第３００２３３３号、登録実用新案第３０４１４３４号、特開平８−２０２３５３号、）。
【０００５】
また、カマボコ状の弾性材からなる打撃部と、その内部に感圧センサを設け、打撃の圧力に応じて光や音で表示し、打撃状態を確認しながら練習できるようにしたものもある（特開平８−９５５６１号、特開平８−１０６２４７号、特開平８−１３７４６７号）。
【０００６】
また、特開平１１−２１２５６６号では、ドラムセットのバスドラムの打撃面において、網状シートからなるヘッドとスポンジなどの緩衝材を組み合わせて構成したものであり、打撃感覚が良好であり、消音もできるようにしたものである。
【０００７】
【発明が解決しようとする課題】
本来、打楽器の代用品は、基本的に、打撃の練習であるため、叩くためのバチがあれば、叩かれるものはいずれでも良いことになる。
【０００８】
しかしながら、実際には、打撃のリズムの正確さや打撃位置の正確さなどのテクニックとともに、良い打撃音を出せるように練習する打撃の強弱やタイミングなどの打撃感覚を身に付けることが大切である。
【０００９】
特に太鼓などの膜鳴楽器においては、打撃の強弱やタイミングなどが演奏を大きく左右するため、熟練者と初心者では、打撃音の響きや音色まで異なると言われており、打撃感覚の練習は不可欠である。
【００１０】
この打撃感覚を身に付けるための練習は、本物で練習することが最も良いのであるが、自宅などでの練習の場合など、現実的には困難なことが多く、擬似打撃面を用いて練習することとなる。
【００１１】
打楽器においては、木琴やドラなどの体鳴楽器の場合には、打撃面が硬いため、擬似打撃面の代用は比較的容易であるが、太鼓などの膜鳴楽器の場合には、打撃面が皮などを強く張った打撃面であるため、擬似打撃面の代用が難しい。
【００１２】
皮などの膜面と同様な張力感覚を有する擬似打撃面を構成する必要があり、消音効果と張力感覚とを同時に備えた材質が必要となる。
【００１３】
前記の実願平６−８９９４号では、団扇太鼓を使用するため、張力感覚はあるが、消音効果はない。また、強く叩く、大太鼓の代用とはならない。
【００１４】
また、登録実用新案第３００２３３３号、登録実用新案第３０４１４３４号、特開平８−２０２３５３号などのゴムシートとスポンジとの組み合わせによる構成では、ある程度の張力感覚を再現できるが、表面がゴムシートであるため、やはり強く叩くと、ゴム面を叩く音はかなり大きな音となり、十分に消音できない。
【００１５】
また、特開平８−９５５６１号、特開平８−１０６２４７号、特開平８−１３７４６７号などの場合には、打撃の強さを検知できるが、実際の太鼓とは、打撃面の形状が異なるため、実際の打撃の感触とは大きく異なってしまう。
【００１６】
また、特開平１１−２１２５６６号の場合には、網状シートと緩衝材との組合わせにより、消音効果はかなり高いが、バスドラムのような跳ね返りの少ない太鼓においては再現性があるが、締め太鼓などのように、張りの強い太鼓においては、かなり感覚が異なってしまい、また、張りを強くすると、消音効果は低くなる。
【００１７】
本発明は前記のような問題点に鑑みてなされたものであり、十分な消音効果が得られ、かつ、打撃感覚を身に付けることができる打楽器の練習用に適した打面体を提供することを課題とする。
【００１８】
【課題を解決するための手段】
本発明は、前記に示す課題を解決するために、剛性枠体に高張力線材を網状に張って打面体を形成した。練習用の模擬打楽器の打撃面を前記の打面体で構成したり、あるいは、前記の打面体を本物の打楽器の打撃面上に固定支持して使用することにより、消音効果が高く、打撃感覚の良好な練習用に適した打面体となる。
【００１９】
高張力線材は、高張力を有する線材であればいずれでも良い。張力としては、使用する打楽器の種類により異なるが、おおむね５〜３０ｋｇ程度に耐えられるものであれば良い。材質は、金属線材や樹脂線材などを使用できる。また、テニスのガットなどのように、家畜の腸を用いた天然ガットなどでも良い。
【００２０】
線材の径は、素材の耐張力や耐久性によってことなるが、おおむね０．１ｍｍφ〜１０ｍｍφ程度が好ましい。また、網目の大きさについては、バチの直径などにより異なるが、５ｍｍ〜２０ｍｍ程度が好ましい。網目が大きいほど打面体の振動時に空気が抜けて、消音効果は高くなる。網目が小さすぎると、打撃音が大きくなり、網目が大きすぎると、バチが網目に引っ掛かり打ちにくくなる。
【００２１】
また、前記の高張力線材は、心材と被覆材との多層構造としたものでも良い。心材は強度を確保するために、樹脂材や金属材などを用い、被覆材は、シリコンゴムなどの弾性材を用いると良い。
【００２２】
線材を強く張ると、線材とバチとの打撃音により消音効果も低下する。特に高張力線材として金属線材を使用すると、消音しにくい。しかしながら、２層構造とし、心材に金属線材を用い、被覆材に弾性材を用いると、バチの打撃による打撃音は非常に小さくなり、強度とともに消音効果も高くなる。
【００２３】
特に大太鼓などの大型の打楽器の消音においては、強度を確保するために金属ワイヤなどを心材とし、シリコンゴム被覆を施した多層構造とすると効果的である。
【００２４】
該剛性枠体は、高張力線材を張って打面を形成できるものであればいずれでも良く、金属製や硬質樹脂材などが使用できる。
【００２５】
また、本物の打楽器の打撃面に、前記の打面体を固定支持するために固定手段を設けて練習具としても良い。該固定手段は、本物の打楽器の打撃面に対して前記の打面体が所定の距離を維持して固定できるものであればいずれでも良い。
【００２６】
例えば、打面体の枠体を打楽器の打撃面の形状に合わせてやや大きめに製作し、該枠体の内面側に弾性材層を設け、打楽器の打撃面に被せ、嵌め込んで固定するようにしたものでも良い。
【００２７】
また、打面体の枠体を２重構造とし、外側の枠体を本物の打楽器の打撃面に固定し、内側の枠体に打面体を形成し、外側の枠体に対して内側の枠体が突出自在にスライド及び固定ができるように、スライド調整金具を設けたものでも良い。
【００２８】
【発明の実施の形態】
本発明は、太鼓の研究の中で、いかにして力強く叩く練習において、その打撃音を小さく抑えられるかという問題について鋭意研究を重ねてきた結果、枠体に線材を網状に交差させて張ることにより、本物の太鼓と同様な打撃感覚を再現でき、かつ、効果的に消音することができ、すべての打楽器に対して応用できる構造を見出し、発明を完成させたものである。
【００２９】
以下に、本発明による実施の形態を図面を用いて説明する。
【００３０】
図１は、本発明による打楽器用打面体の一実施例を示す概略斜視図である。本実施例は、締太鼓と呼ばれる和太鼓の練習用に適した打面体であり、本物の締太鼓の打撃面の上に被せて使用する練習具となっている。
【００３１】
本練習具は、円形の鋼製枠体１と、その枠体１に高張力線材を網状に張った網面２で構成されている。図２に示すように、該打面体３を本物の締太鼓４の打撃面に取り付け、該枠体１の外周部に４箇所設けられた高さ調整ノブ５を緩めて打面の高さを決め、再度ノブ４を締め付けて高さを固定できるようになっている。７は太鼓台である。
【００３２】
本打面体の打撃面である網面２は、多層構造の樹脂材による高張力線材６が用いられており、テニスのラケットのように、多数の穴があけられた枠体１に、網状に交差して張られたものである。
【００３３】
該線材６は、図３に示すように、テニスのガットなどと同様に、硬質樹脂材による心材６ａの外周に多数の小径の樹脂製線材６ｂをらせん状に巻きつけて接着被覆されたものであり、さらにその外周面にシリコンゴム層６ｃによる弾性層を被覆したことを特徴とするものである。
【００３４】
該心材６ａは、金属線材やワイヤなどでも良く、外層６ｃは弾性材層であればいずれでも良い。また、金属線、樹脂線などを組み合わせた複数層に形成した線材としても良く、最外層６ｃを弾性材で被覆すれば良い。
【００３５】
本鋼製枠体１は、図４（１）に示すように、鋼製のリング体で２重構造になっており、外枠１ａは本物の太鼓４の打撃面に被せることができるように、本物の太鼓４の打撃面の外周の径より大きく製作されている。内枠１ｂは、本物の太鼓４の打撃面の外周の径より小さくなっている。
【００３６】
また、外枠１ａ側面の４箇所に縦長のネジ穴１ｃが設けられており、他方、内枠１ｂの外周部には、前記の縦長のネジ穴１ｃに対応して雌ネジ１ｄが切られている。外枠１ａのネジ穴１ｃにノブ５を差し込み、対応する内枠１ｂの雌ネジ１ｄに締め付けることにより、外枠１ａに対して内枠１ｂが固定され、打面となる網面２の高さが決定されることとなる。
【００３７】
外枠１ａと内枠１ｂが固定された状態で、本物の太鼓の打撃面に被せることにより、前記の網状となった打面２と、本物の太鼓の打撃面とは、一定の距離を隔てて保持されることとなる。
【００３８】
また、図４（２）に示すように、外枠１ａに設けられるノブ５のネジ穴１ｃを複数段のフック状の留め穴とし、各フック部でノブ５を締め付けて固定することにより、確実に固定することができ、高さ調整が容易に行える。
【００３９】
さらにまた、図４（３）に示すように、前記の内枠１ｂの代わりに、ゴムカバー１ｆが取り付けられた、ノブ５の受け用雌ネジ１ｅを設けても良い。５ａはフラットワッシャーであり、５ｂはスプリングワッシャーである。
【００４０】
ノブ５を締め付けてゴムカバー１ｆ付きの受け用雌ネジ１ｅの高さを調整して外枠１ａに固定する。本物の太鼓の打撃面に外枠１ａを被せると、ゴムカバー１ｆが本物の太鼓の打撃面の外周部に当たり、網状の打面２と本物の打撃面との距離が維持される。
【００４１】
上記のように、本物の太鼓の打撃面と、本発明の網状の打面２との距離を一定に保った状態で打撃練習を行うと、バチは、前記の打面２に当たるが、本物の太鼓の打撃面には当たらない。このため、練習者は、本物の太鼓を叩いている状態とほとんど同じ姿勢及び感覚で練習することができ、叩いた感触も、十分な跳ね返りがあり、本物に近い感触が得られ、しかも強く叩いてもほとんど音はでない。
【００４２】
また、前記の打面２の高さを調整ノブ４で調整して、本物の太鼓の打撃面に近づけて、バチで強く叩いたときに、わずかに本物の太鼓の打撃面に当てるようにし、強く叩いたときにのみ音がでるようにし、打撃の強さが解かるような練習をすることもできる。
【００４３】
本実施例では、和太鼓の中でも比較的小さく、座って打つ締太鼓に使用した例を示したが、剛性枠体を大きくし、高張力線材を太くすることにより、図５（１）に示すような大太鼓８にも適用でき、また、剛性枠体を小さくし、高張力線材を細くすることにより、図５（２）に示すような手持ち太鼓９などにも使用できる。また、例えば、この手持ち太鼓の片方の打撃面のみを本発明による打面体とすると、練習時には、本発明の打面体を叩き、本番の演奏のときには、本物の皮が張られた打撃面を叩いて演奏するという使い分けの可能な手持ち太鼓とすることが可能である。
【００４４】
日本では、各地で地域の文化行事が伝統的に盛んであり、そのために打楽器、特に太鼓などの練習は、数十人から数百人にも及ぶ規模の大きなものであり、そのための練習においては、防音設備を有する施設もなく、屋外での練習が中心となる。  このような場合、連日の練習となると、近隣地域の住民から苦情がでることも少なくない。
【００４５】
本発明の打面体は、このような場合に簡単に太鼓に装着することができ、容易に消音することが可能となり、思い切り練習することができる。また、近年では、太鼓などの打楽器を趣味として習うことも多くなってきた。本発明の打面体は、剛性枠体をその打楽器の形状に合わせて製作することにより、すべての打楽器に適用できる。
【００４６】
例えば、体鳴楽器である、木琴やインドネシア鉄琴のガンバンガンサやドラ類などにも消音用として使用できる。
【００４７】
【発明の効果】
以上、詳細に説明した本発明では、以下に示すような効果がある。
【００４８】
１）打面体が高張力線材を網状に張って形成したものであるため、跳ね返りがあり、実物に近い打撃感覚で練習することができ、かつ消音効果が高い。
【００４９】
２）固定手段を設けることにより、本物の打楽器などにも簡単に装着することができ、防音設備なしでも本物の打楽器を用いた練習をすることができる。
【００５０】
３）テニスやバドミントンのガットを線材として使用することにより、安価に製造できる。
【００５１】
４）線材を多層構造とし、心材を強度の高い金属材料とし、被覆層を弾性材とすることにより、打面体の反発力及び耐久性を高めるとともに、消音効果を十分に発揮させることができる。
【００５２】
５）固定手段に位置調整手段を設けることにより、打撃の強さの練習や、ミュート奏法などが可能となる。
【００５３】
このように、本発明によれば、十分な消音効果が発揮され、かつ本物の打楽器と同様な打撃感覚を再現できる打楽器用打面体を実現できる。
【図面の簡単な説明】
【図１】本発明による打楽器用打体面体の実施例を示す図である。
【図２】本発明による打面体に用いる線材の実施例を示す図である。
【図３】本発明による打面体の剛性枠体の実施例を示す図である。
【図４】本発明による打面体の剛性枠体の調整手段の実施例を示す図である。
【図５】本発明による打面体の使用例を示す図である。
【符号の説明】
１  鋼製枠体
２  網面
３  打面体
４  本物の太鼓
５  調整ノブ
６  高張力線材
７  太鼓台
８  大太鼓
９  手持ち太鼓
【図１】
0004506921.tif 000002
【図２】
0004506921.tif 000003
【図３】
0004506921.tif 000004
【図４】
0004506921.tif 000005
【図５】
0004506921.tif 000006